(57)【要約】【課題】  運行履歴データを保存する記録媒体（光ディスクを含む）のレーベル面に記録媒体の記録面に書き込まれたデータ内容を示すレーベル情報を印刷する装置を提供することを目的とする。【解決手段】  自動車、電車、飛行機、船舶等の輸送機の運行履歴データに基づき記録媒体イメージファイルを生成する記録媒体イメージファイル生成部と、前記記録媒体イメージファイルを記録媒体の記録面に書き込む記録媒体イメージファイル書込み部と、前記運行履歴データに基づきレーベル情報を作成するレーベル情報作成部と、前記レーベル情報を前記記録媒体のレーベル面に印刷するレーベル情報印刷部と、を備えてなる運行履歴記録装置。【選択図】  図１
2007066479.tif 000002
【特許請求の範囲】
【請求項１】
輸送機の運行履歴データに基づき記録媒体イメージファイルを生成する記録媒体イメー
ジファイル生成部と、
前記記録媒体イメージファイルを記録媒体の記録面に書き込む記録媒体イメージファイ
ル書込み部と、
前記運行履歴データに基づきレーベル情報を作成するレーベル情報作成部と、
前記レーベル情報を前記記録媒体のレーベル面に印刷するレーベル情報印刷部と、
を備えてなる運行履歴記録装置。
【請求項２】
前記レーベル情報は、コンテンツ情報と、レイアウト情報とを含む、ことを特徴とする
請求項１に記載の運行履歴記録装置。
【請求項３】
前記運行履歴記録装置は、１又は複数のレイアウト情報を保存するレイアウト情報保存
領域を備え、複数のレイアウト情報が保存されているとき、どのレイアウト情報を使用す
るか選択することができる、ことを特徴とする請求項２に記載の運行履歴記録装置。
【請求項４】
前記記録媒体イメージファイル生成部は、前記輸送機で得られた運行履歴データの中か
ら所定のルールに従ってデータを選択して、記録媒体イメージファイルを生成する、こと
を特徴とする請求項１に記載の運行履歴記録装置。
【請求項５】
前記レーベル情報作成部は、前記輸送機で得られた運行履歴データの中から所定のルー
ルに従ってデータを選択して、該データに個別データを付加することによりレーベル情報
を作成する、ことを特徴とする請求項１に記載の運行履歴記録装置。
【請求項６】
前記運行履歴記録装置は、記録媒体の記録面を参照し、前記記録面が書き換え可能であ
れば、前記記録媒体のデータを消去するデータ消去部と、
前記データ消去部から前記記録媒体が書換え可能である通知を受けて、前記記録媒体の
レーベル面のレーベル情報を消去するレーベル情報消去部と、
を有する、ことを特徴とする請求項１に記載の運行履歴記録装置。
【発明の詳細な説明】
【技術分野】
【０００１】
この発明は運行履歴記録装置に関する。詳しくは、輸送機の運行履歴データを記録媒体
に記録し、運行履歴データに対応したレーベル情報を記録媒体のレーベル面に印刷する運
行履歴記録装置に関する。
【背景技術】
【０００２】
自動車、電車、飛行機、船舶等の輸送機の運行履歴データ（出発地／到着地、移動した
ルート、画像等）を保存する手段として、例えば、特許文献１には、車両がセンサ等を備
え、センサ等で得られた運行履歴データをＤＶＤなどの光ディスクに保存する手段を備え
るものが開示されている。保存された運行履歴データは車両事故や盗難事件の発生後に、
事故や事件の解明に利用されている。
【０００３】
【特許文献１】特開２００１−６１１２９号公報
【発明の開示】
【発明が解決しようとする課題】
【０００４】
車の運行履歴データをＤＶＤに保存する場合、ＤＶＤのデータ保存容量の制限から、大
容量のデータを保存することができず、複数枚のＤＶＤが必要となることもある。この場
合、ＤＶＤに記載された内容に対応する情報がレーベル面に記載されていないと、ＤＶＤ
を特定することが困難であり、ＤＶＤの取扱いが不便となる。
また、車を複数人で使用し、運行履歴データをＤＶＤに保存する場合、各人に対して１
枚のＤＶＤを割り当てれば運行履歴データの管理が容易になるが、この場合もＤＶＤを特
定することが困難であり、その取扱いが複雑となる。
そこで、本発明は、運行履歴データを保存する記録媒体（光ディスクを含む）のレーベ
ル面に記録媒体の記録面に書き込まれたデータ内容を示すレーベル情報を印刷する装置を
提供することを目的とする。
【課題を解決するための手段】
【０００５】
本発明は上記目的を達成すべくなされたものである。すなわち、輸送機の運行履歴デー
タに基づき記録媒体イメージファイルを生成する記録媒体イメージファイル生成部と、前
記記録媒体イメージファイルを記録媒体の記録面に書き込む記録媒体イメージファイル書
込み部と、前記運行履歴データに基づきレーベル情報を作成するレーベル情報作成部と、
前記レーベル情報を前記記録媒体のレーベル面に印刷するレーベル情報作成部と、を備え
てなる運行履歴記録装置である。
【０００６】
上記構成によれば、自動車、電車、飛行機、船舶等の輸送機で得られる運行履歴データ
は記録媒体イメージファイル生成部にて記録媒体イメージファイルに生成される。生成さ
れた記録媒体イメージファイルは記録媒体イメージファイル書込み部により記録媒体の記
録面に書き込まれる。また、レーベル情報作成部は運行履歴データに基づきレーベル情報
を作成し、レーベル情報印刷部がそのレーベル情報を記録媒体のレーベル面に印刷する。
したがって、記録媒体の記録面に書き込まれたデータに対応するレーベル情報がレーベ
ル面に印刷されることとなる。これにより、複数枚のＤＶＤを取り扱う場合でも、データ
の内容に対応したレーベル印刷が行われるため、ＤＶＤの特定が容易となる。
【発明を実施するための最良の形態】
【０００７】
以下、この発明の各要素について説明する。
（記録媒体イメージファイル生成部、記録媒体イメージファイル書込み部）
記録媒体イメージファイル生成部は、記録媒体（例えば、ＣＤ−Ｒ、ＣＤ−ＲＷ，ＤＶ
Ｄ−Ｒ、ＤＶＤ−ＲＷのような光ディスク）の記録面に書き込まれるべき記録媒体イメー
ジファイルを生成する。
記録媒体イメージファイルは、輸送機の運行履歴データを保存する記録情報保存領域と
、作成日付やデータの種類、データの大きさなどの情報を有するヘッダを保存するヘッダ
領域とで概略構成される。なお、本発明でいう輸送機は、人や荷物を輸送するためにもの
をいい、例えば、自動車、電車、飛行機、船舶等をいう。
【０００８】
運行履歴データは輸送機の運行に付随して得られる運行データと、輸送機の運行に付随
して取得できない個別データとで概略構成される。運行データは、例えば、輸送機のＧＰ
Ｓ受信機で得られるＧＰＳデータ（位置情報）、輸送機に搭載された各種センサで得られ
る速度、積載量、車載カメラの画像、温度、湿度、扉の開閉記録、シートベルトの装着の
有無、出発・到着点等に関するデータである。また、個別データは、例えば、担当者名、
輸送機ナンバー、積載荷物名などのデータである。個別データの取得方法は特に限定され
ず、例えば、輸送機の担当者に、あらかじめ個別データを記憶させたＲＦＩＤカードを所
持させておいて、そのＩＤ情報をＲＦＩＤリーダに読み取らせることにより担当者名や輸
送機ナンバーを取得する方法がある。
記録情報保存領域に保存される運行履歴データは、運行データと個別データのすべてに
ついて保存してもよいが、運行データと個別データとの中から所定のルールで選択された
データを保存してもよい。
【０００９】
記録媒体は、その種類（ＣＤ−ＲやＤＶＤ−Ｒなど）に応じて記録容量が異なるため、
記録情報保存領域に保存するデータの容量も記録媒体の種類に応じて変える必要がある。
そこで、記録媒体イメージファイルの生成時には、記録媒体の記録容量に応じた運行履歴
データを記録情報保存領域に保存し、それにヘッダを付加することにより、記録媒体イメ
ージファイルを生成する。生成された記録媒体イメージファイルは記録媒体イメージファ
イル書込み部が記録媒体の記録面に書き込むことで保存される。記録媒体イメージファイ
ルの保存が終わった記録媒体は収納場所に保管され、それに続くデータは新しい記録媒体
の記録面に書き込まれることになる。
【００１０】
（レーベル情報作成部、レーベル情報印刷部）
レーベル情報作成部は、運行データ及び個別データに基づいてレーベル情報を作成する
。
レーベル情報は、レーベル情報の内容を示すコンテンツ情報と、コンテンツ情報の配置
を指定するレイアウト情報とで概略構成される。このレーベル情報は、記録媒体のレーベ
ル面に印刷されて、当該記録媒体の内容を示す情報として利用される。
コンテンツ情報は記録媒体の内容を示す情報であり、運行データと個別データの中から
、所定のルールに従って選択される。コンテンツ情報は、例えば、運行時の日付、時間、
輸送機ナンバー、担当者名、出発・到着点、輸送機の画像などに関する情報である。
レイアウト情報はコンテンツ情報の配置に関する情報である。配置に関する情報は特に
限定されず、任意に設定することができる。また、レイアウト情報を複数保存しておき、
必要に応じて、一つのレイアウト情報を選択して使用するようにしてもよい。
作成されたレーベル情報はレーベル情報印刷部へ送られ、レーベル情報を取得したレー
ベル情報印刷部は、記録媒体のレーベル面にレーベル情報を印刷する。
【００１１】
以下に、運行履歴記録装置の概略を説明する。
図１は輸送機の運行に際して得られる運行履歴データからレーベル情報を作成し、レー
ベル印刷を行う過程を示すブロック図である。
運行履歴データ取得部１０は、位置情報取得部１１と、各種センサ１２と、カメラ１３
と、個別データ取得部１４とで概略構成される。運行履歴記録装置２０は、記録装置２１
と、光ディスクパブリッシャー２２とで概略構成される。また、輸送機に時刻データ生成
部３１が備えられる。
運行履歴データ取得部１０で取得された運行履歴データは、記録装置２１に保存される
。この運行履歴データに対して時刻に関するデータを関連付けるため、時刻データ生成部
３１は日付及び時分秒の時刻データを運行履歴データに付与する。
【００１２】
光ディスクパブリッシャー２２は、記録装置２１に保存された運行履歴データの中から
所定のルールに従って、光ディスクに保存すべきデータを選択して光ディスクの記録面に
保存する。また、運行履歴データの中から所定のルールに従ってデータを選択してレーベ
ル情報を作成し、光ディスクのレーベル面にレーベル情報を印刷する。
このように、輸送機の運行に伴って得られる運行履歴データは光ディスクの記録面に保
存されるとともに、記録面に記録された内容に対応するレーベル情報がレーベル面に印刷
されることとなる。よって、光ディスクが複数ある場合でも、光ディスクの特定が容易に
なる。
【実施例１】
【００１３】
以下、この発明の実施例について説明する。
図２は、輸送機の運行履歴データを取得する運行履歴データ取得部１００と、取得され
た運行履歴データを記録媒体に保存し、保存された内容に対応するレーベル情報を印刷す
る運行履歴記録装置２００の概略図である。図３は図２に示す運行履歴記録装置２００の
動作を示すフローチャートである。
運行履歴データ取得部１００は、ＧＰＳデータ受信機１１０と、各種センサ１２０と、
カメラ１３０と、ＲＦＩＤリーダ１４０とで概略構成される。
運行履歴記録装置２００は、記録装置２１０と、レーベル情報作成部２２１と、レーベ
ル情報印刷部２２２と、記録媒体イメージファイル生成部２２３と、記録媒体イメージフ
ァイル書込み部２２４と、操作部２２５と、表示部２２６と、制御部２３０とで概略構成
される。
【００１４】
以下に、本実施例の各要素について説明する。
ＧＰＳデータ受信機１１０は、ＧＰＳ衛星から送信される輸送機のＧＰＳデータ（位置
情報）を受信し、輸送機の現在地を特定する。
各種センサ１２０は、輸送機の運行時に生じる各種データを取得する。取得するデータ
の種類に応じた数のセンサが輸送機に搭載される。センサで取得されるデータの種類は特
に限定されず、例えば、輸送機の内外の温度、湿度、輸送機に積み込まれた荷物の積載量
、輸送機の扉の開閉記録、シートベルトの装着の有無の情報等である。各種センサ２２は
常時データを取得することもできるが、センサ選択部１２１により特定のセンサを選び出
し、特定の時間だけデータを取得することもできる。
カメラ１３０は輸送機の内部又は外部に搭載され、輸送機の内部又は輸送機周辺の映像
を撮影する。カメラ１３０には旋回制御部１３１が備えられ、カメラ１３０の旋回駆動制
御が可能である。
ＲＦＩＤリーダ１４０は輸送機に備えられ、ＲＦＩＤカードの情報を読み取ることによ
り、個別データを取得する。個別データは、例えば、操作者や輸送機ナンバー、荷物名な
どの各種センサ１２０で取得できないデータである。これらのデータをＲＦＩＤカードに
事前に保存しておき、ＲＦＩＤリーダ１４０に読み取らせることにより、個別データが読
み取られることとなる。
【００１５】
制御部２３０はＣＰＵ２３１を備える。運行履歴記録装置２００に備えられる各要素は
バスラインを介してこのＣＰＵ２３１に接続され、その制御を受ける。ＣＰＵ２３１を動
作させるためのプログラムはプログラム保存領域２１１に保存されており、ＣＰＵ２３１
は当該プログラムを読み出して所定の動作を行う。
【００１６】
記録装置２１０は、プログラム保存領域２１１と、レイアウト情報保存領域２１２と、
運行履歴データ保存領域２１３とで概略構成される。プログラム保存領域２１１はＣＰＵ
２３１を制御するために必要なプログラムが保存される領域である。レイアウト情報保存
領域２１２はレーベル情報作成時に使用されるレイアウト情報を保存する領域であり、一
又は複数のレイアウト情報が保存されている。運行履歴データ保存領域２１３は、ＧＰＳ
データ保存領域２１３１と、センサデータ保存領域２１３２と、画像データ保存領域２１
３３と、個別データ保存領域２１３４とを含んで構成される。
ＧＰＳデータ保存領域２１３１はＧＰＳデータ受信機１１０で取得したＧＰＳデータを
保存する領域である。センサデータ保存領域２１３２は各種センサ１２０で取得したデー
タを保存する領域である。画像データ保存領域２１３３は、輸送機内又は外に設置される
カメラによって得られる画像を保存する領域である。個別データ保存領域２１３４は、Ｒ
ＦＩＤリーダ１４０で取得した個別データを保存する領域である。
なお、ＧＰＳデータ保存領域２１３１と、センサデータ保存領域２１３２と、画像デー
タ保存領域２１３３に保存されるデータについては、日付・時刻データ生成部３１０で生
成された日付及び時刻の情報が付加される。
【００１７】
レーベル情報作成部２２１は、運行履歴データ保存領域２１３に保存された各データの
中から運行データ（ＧＰＳデータ、センサデータ、画像データ）と個別データとを読み出
して、各データの中から所定のルールに従ってデータを選択する。選択されたデータは、
レイアウト情報保存領域２１２に保存されたレイアウト情報に組み込まれて、レーベル情
報が作成される。作成されたレーベル情報はレーベル情報印刷部に送られる。
レーベル情報印刷部２２２は、レーベル情報作成部２２１で作成されたレーベル情報を
記録媒体のレーベル面に印刷する。
【００１８】
記録媒体イメージファイル生成部２２３は、運行履歴データ保存領域２１３に保存され
た運行履歴データの中から所定のルールに従ってデータを選択して記録媒体イメージファ
イルを生成する。生成された記録媒体イメージファイルは記録媒体イメージファイル書込
み部２２４へ送られる。
記録媒体イメージファイル書込み部２２４は、記録媒体イメージファイル生成部２２３
で生成された記録媒体イメージファイルを記録媒体の記録面に書き込む。
なお、記録媒体イメージファイルの生成のために選択されたデータの中からレーベル情
報を作成するためのデータを抽出するようにしてもよい。
【００１９】
操作部２２５は、キーボード等の入力装置であり、制御部２３０により制御される各要
素の操作、設定等に使用される。
表示部２２６は、液晶パネル等の表示装置であり、制御部２３０により制御される各要
素の内容を表示するものとして使用される。
【００２０】
以下に、運行履歴データ取得部１００及び運行履歴記録装置２００の動作について説明
する。
図３は図２に示した運行履歴データ取得部１００及び運行履歴記録装置２００の動作を
示すフローチャートである。
輸送機に取り付けられたＧＰＳデータ受信機１１０、各種センサ１２０、カメラ１３０
、ＲＦＩＤリーダ１４０により取得された運行履歴データは、日付・時刻データ生成部３
１０で生成される日付及び時間に関するデータが付加されて、運行履歴データ保存領域２
１３に保存される（ステップ１、３）。
次に、レイアウト情報保存領域２１２に複数のレイアウト情報が保存されているときは
（ステップ５：Ｙ）、操作部２２５での操作により、一つのレイアウト情報を選択する（
ステップ７）。一方、レイアウト情報保存領域２１２に一つのレイアウト情報のみが保存
されているときは（ステップ５：Ｎ）、当該レイアウト情報が読み出される。
次に、レーベル情報作成部２２１は運行履歴データ保存領域２１２に保存された各デー
タから運行履歴データと個別データを読出して、それらの中から所定のルールに従ってデ
ータを選択して、それらをレイアウト情報に組み込んでレーベル情報を生成する（ステッ
プ９）。生成されたレーベル情報はレーベル情報印刷部２２２に送られ、レーベル情報印
刷部２２２が記録媒体のレーベル面にレーベル情報を印刷する（ステップ１１）。
続いて、記録媒体イメージファイル生成部２２３が、運行履歴データ保存領域２１３に
保存された各データを読出し、その各データの中から所定のルールに従ってデータを選択
して記録媒体イメージファイルを生成する（ステップ１３）。生成された記録媒体イメー
ジファイルは記録媒体イメージファイル書込み部２２４に送られ、記録媒体イメージファ
イル書込み部２２４が記録媒体イメージファイルの記録面に記録媒体イメージファイルを
書き込む（ステップ１５）。
【００２１】
以上のように、運行履歴データを記録媒体の記録面に保存して、それに対応したレーベ
ル情報を記録媒体のレーベル面に印刷することにより、記録内容に一致したレーベル情報
が印刷される。これにより、複数枚の記録媒体を取扱う場合にもそれぞれの記録媒体の識
別が容易になる。
本実施例の運行履歴記録装置を用いることにより、例えば、車の運行履歴データを複数
枚のＤＶＤに保存する場合でも、ＤＶＤに記載された内容に対応する情報がレーベル面に
記載されるため、ＤＶＤの取扱いが容易になる
また、本実施例の運行履歴記録装置をタクシー・バスなどに用いることにより、運行記
録を保存・解析することで、より効率的な運行提供に役立てることができ、ひいては、顧
客満足の向上に役立つ。
【００２２】
上記例では、運行履歴データのすべてを記録装置に保存し、その中から所定のルールに
従ってデータを読み出して記録媒体イメージファイルを生成しているが、記録装置に保存
すべきデータを予め決定し、当該記録装置に記録されたデータの一部又は全部を用いて記
録媒体イメージファイルを生成することもできる。
【実施例２】
【００２３】
図４は本発明の他の実施例である運行履歴データ取得部１００及び運行履歴記録装置４
００の概略図である。実施例１に記載の図と同一の要素には同一符号を付してその説明を
省略する。
運行履歴記録装置４００はデータ消去部２２７及びレーベル情報消去部２２８を備える
。
データ消去部２２７は、記録媒体の記録面に書き込まれたデータを消去する。
レーベル情報消去部２２８は、記録媒体のレーベル面に書き込まれたレーベル情報を消
去する。レーベル情報を消去する方法は特に限定されず、例えば、白色の塗料を記録媒体
のレーベル面に塗布することにより行われる。
【００２４】
以下に、運行履歴記録装置４００の動作について説明する。
図５は運行履歴記録装置４００の動作を示すフローチャートである。
データ消去部２２７が運行履歴記録装置４００に収納された記録媒体の記録面を参照し
（ステップ２１）、記録媒体が書換え可能な記録媒体であれば（ステップ２３：Ｙ）、記
録媒体の記録面に書き込まれているデータを消去する（ステップ２５）。続いて、データ
消去部２２７はレーベル情報消去部２２８に対して、記録媒体が書換え可能である通知を
する（ステップ２７）。その通知を受けたレーベル情報消去部２２８は記録媒体のレーベ
ル面に白色の塗料を塗布することにより、レーベル情報を消去する（ステップ２９）。な
お、運行履歴記録装置４００に収納された記録媒体が書換え可能な記録媒体でない場合は
、そのまま終了となる（ステップ２３：Ｎ）。
本フローチャートに続く動作は、実施例１で示したフローチャートの通りである。
【００２５】
以上のように、運行履歴記録装置４００に収納された記録媒体が書換え可能なものであ
る場合は、記録面に書き込まれているデータを消去し、レーベル面に印刷されたレーベル
情報を消去することで、新しいデータの書込み及びレーベル情報の印刷を行うことが可能
となる。
【００２６】
この発明は、上記発明の実施の形態及び実施例の説明に何ら限定されるものではない。
特許請求の範囲の記載を逸脱せず、当業者が容易に想到できる範囲で種々の変形態様もこ
の発明に含まれる。
【図面の簡単な説明】
【００２７】
【図１】図１は運行履歴記録装置のブロック図である。
【図２】図２は実施例１で使用する運行履歴記録装置の概略図である。
【図３】図３は実施例１の運行履歴記録装置の動作を示すフローチャートである。
【図４】図４は実施例２で使用する運行履歴記録装置の概略図である。
【図５】図５は実施例２の運行履歴記録装置の動作を示すフローチャートである。
【符号の説明】
【００２８】
２０  ２００  ４００  運行履歴記録装置、２２１  レーベル情報作成部、２２２  レー
ベル情報印刷部、２２３  記録媒体イメージファイル生成部、２２４  記録媒体イメージ
ファイル書込み部、２２７  データ消去部、２２８  レーベル情報消去部
【図１】
2007066479.tif 000003
【図２】
2007066479.tif 000004
【図３】
2007066479.tif 000005
【図４】
2007066479.tif 000006
【図５】
2007066479.tif 000007